(57)【要約】【課題】  インスタントメッセージサービスを利用する支払処理方法を開示する。【解決手段】  前記方法は、第１ユーザの支払トランザクションに対する少なくとも１人の第２ユーザと前記第１ユーザとの間でインスタントメッセンジャアプリケーションによって生成されるチャットルームに関する情報を得る段階、前記第１ユーザの支払トランザクションの処理に応答して、前記第１ユーザの支払アカウントおよび前記少なくとも１人の第２ユーザそれぞれの支払アカウントをアップデートする段階、および前記第１ユーザの支払トランザクションの処理に関するメッセージを前記チャットルームで出力する段階を含む。【選択図】      図５
2016095846.tif 000002
【特許請求の範囲】
【請求項１】
インスタントメッセージサービスを利用する支払処理方法であって、
第１ユーザの支払トランザクションに対する少なくとも１人の第２ユーザと前記第１ユーザとの間でインスタントメッセンジャアプリケーションによって生成されるチャットルームに関する情報を得る段階、
前記第１ユーザの支払トランザクションの処理に応答して、前記第１ユーザの支払アカウントおよび前記少なくとも１人の第２ユーザそれぞれの支払アカウントをアップデートする段階、および
前記第１ユーザの支払トランザクションの処理に関するメッセージを前記チャットルームで出力する段階
を含むことを特徴とする、インスタントメッセージサービスを利用する支払処理方法。
【請求項２】
前記第１ユーザの支払トランザクションの発生に応答して、支払アカウントデータベースから前記第１ユーザの支払アカウントおよび前記少なくとも１人の第２ユーザそれぞれの支払アカウントを得る段階
をさらに含み、
前記支払アカウントデータベースでは、前記第１ユーザの支払アカウントと前記第１ユーザのインスタントメッセージサービスに対するアカウントが互いにマッチングしていることを特徴とする、請求項１に記載のインスタントメッセージサービスを利用する支払処理方法。
【請求項３】
前記第１ユーザの支払トランザクションは、
前記第１ユーザが前記少なくとも１人の第２ユーザに資金を伝達する送金トランザクション、
前記少なくとも１人の第２ユーザが前記第１ユーザに資金の伝達を要請する送金要請トランザクション、または
前記第１ユーザと前記少なくとも１人の第２ユーザを含むグループが第三者に資金を伝達するグループ送金トランザクション
のうち少なくとも１つを含むことを特徴とする、請求項１に記載のインスタントメッセージサービスを利用する支払処理方法。
【請求項４】
前記第１ユーザが特定のチャットルームで支払トランザクションの処理を要請する場合、前記特定のチャットルームに関する情報を利用して、前記特定のチャットルームに含まれた第２ユーザのうちの少なくとも１人を前記支払トランザクションに対する少なくとも１人の第２ユーザとして識別する段階
を含むことを特徴とする、請求項１に記載のインスタントメッセージサービスを利用する支払処理方法。
【請求項５】
前記第１ユーザの支払トランザクションの発生に応答して、前記第１ユーザと前記少なくとも１人の第２ユーザとの間のチャットルームが存在するかを判断する段階、
前記チャットルームが存在しない場合、新たなチャットルームを生成する段階
をさらに含み、
前記チャットルームに関する情報を得る段階は、
前記新たなチャットルームまたは既に存在しているチャットルームに関する情報を得る段階であることを特徴とする、請求項１に記載のインスタントメッセージサービスを利用する支払処理方法。
【請求項６】
前記チャットルームは、
前記インスタントメッセージサービスに対する前記第１ユーザおよび前記少なくとも１人の第２ユーザそれぞれのアカウントに関する情報または前記チャットルームの固有識別番号を含むことを特徴とする、請求項１に記載のインスタントメッセージサービスを利用する支払処理方法。
【請求項７】
前記支払トランザクションの処理に関するメッセージは、
前記第１ユーザによって編集されるテキスト、イメージ、またはビデオのうちの少なくとも１つを含む第１ユーザ編集領域、および前記支払トランザクションの処理に応答して固定されたフォーマットで生成される固定フォーマット領域を含むことを特徴とする、請求項１に記載のインスタントメッセージサービスを利用する支払処理方法。
【請求項８】
前記第１ユーザ編集領域および前記固定フォーマット領域は、１つの吹き出し内に含まれることを特徴とする、請求項７に記載のインスタントメッセージサービスを利用する支払処理方法。
【請求項９】
前記第１ユーザと前記少なくとも１人の第２ユーザとの間のチャットルームで少なくとも３つのオプションを提供し、
前記３つのオプションは、
前記第１ユーザが前記少なくとも１人の第２ユーザに資金を伝達する送金トランザクションを選択するためのオプション、
前記少なくとも１人の第２ユーザが前記第１ユーザに資金の伝達を要請する送金要請トランザクションを選択するためのオプション、および
前記第１ユーザと前記少なくとも１人の第２ユーザを含むグループが第三者に資金を伝達するグループ送金するトランザクションを選択するオプション
を含むことを特徴とする、請求項１に記載のインスタントメッセージサービスを利用する支払処理方法。
【請求項１０】
前記第１ユーザの支払トランザクションの処理過程中に、前記第１ユーザと前記少なくとも１人の第２ユーザとの間で送信あるいは受信されたメッセージに対する前記第１ユーザのインタラクションを検出する段階、および
前記第１ユーザのインタラクションにしたがって前記支払トランザクションの処理を行う段階
をさらに含むことを特徴とする、請求項１に記載のインスタントメッセージサービスを利用する支払処理方法。
【請求項１１】
前記第１ユーザの支払トランザクションが、前記少なくとも１人の第２ユーザが前記第１ユーザに資金の伝達を要請する送金要請トランザクションである場合に、
前記少なくとも１人の第２ユーザから前記第１ユーザに送信された送金要請メッセージに含まれた送金要請金額を抽出する段階、および
前記送金要請メッセージに対する前記第１ユーザの決定に基づいて、前記第１ユーザの支払アカウントから前記少なくとも１人の第２ユーザの支払アカウントに前記送金要請金額を振り込む段階
を含むことを特徴とする、請求項１に記載のインスタントメッセージサービスを利用する支払処理方法。
【請求項１２】
前記少なくとも１人の第２ユーザから前記第１ユーザに前記送金要請メッセージが送信された後に、前記第１ユーザの支払アカウントが存在するかを判断する段階
をさらに含むことを特徴とする、請求項１１に記載のインスタントメッセージサービスを利用する支払処理方法。
【請求項１３】
前記第１ユーザの支払トランザクションの処理に関するメッセージは、
前記第１ユーザの支払アカウントに残っている価値、前記支払アカウントに残っている価値の変化、前記支払トランザクションに関する金額、または前記支払トランザクションが成功的に完了したかに関する情報のうちの少なくとも１つを含むことを特徴とする、請求項１に記載のインスタントメッセージサービスを利用する支払処理方法。
【請求項１４】
前記第１ユーザのトランザクションが、前記第１ユーザと前記少なくとも１人の第２ユーザを含むグループが第三者に資金を伝達するグループ送金トランザクションである場合に、
前記第１ユーザのバディリストに含まれている複数の第１ユーザまたは前記チャットルームに参加している複数の第１ユーザから前記少なくとも１人の第２ユーザを選択する段階、
前記第１ユーザおよび前記少なくとも１人の第２ユーザの数に基づいて、全体金額に対する前記第１ユーザおよび前記少なくとも１人の第２ユーザそれぞれの負担金額を計算する段階、および
前記第１ユーザおよび前記少なくとも１人の第２ユーザそれぞれの負担金額に対して支払トランザクションを処理する段階
をさらに含むことを特徴とする、請求項１に記載のインスタントメッセージサービスを利用する支払処理方法。
【請求項１５】
前記第１ユーザおよび前記少なくとも１人の第２ユーザそれぞれによって前記支払トランザクションが行われたかを判断する段階、および
前記支払トランザクションが行われたかに対する指示子を出力する段階
をさらに含むことを特徴とする、請求項１４に記載のインスタントメッセージサービスを利用する支払処理方法。
【請求項１６】
インスタントメッセージサービスと結合した支払プラットフォームにおける支払処理方法であって、
インスタントメッセージアプリケーションによって第１ユーザと少なくとも１人の第２ユーザとの間の支払トランザクションの処理に関する要請を受信する段階であって、前記第１ユーザと前記少なくとも１人の第２ユーザの関係に関する情報は、前記インスタントメッセージサービスのためのサーバに格納される、段階、
前記第１ユーザおよび前記少なくとも１人の第２ユーザそれぞれの前記インスタントメッセージサービスに対するアカウントと対応する支払アカウントを抽出する段階、および
前記支払トランザクションの処理に応答して、前記第１ユーザおよび前記少なくとも１人の第２ユーザそれぞれの支払アカウントに登録されている価値をアップデートする段階
を含むことを特徴とする、インスタントメッセージサービスと結合した支払プラットフォームにおける支払処理方法。
【請求項１７】
前記支払トランザクションの処理に応答して、前記第１ユーザおよび前記少なくとも１人の第２ユーザそれぞれの支払アカウントに登録されている価値をアップデートする段階は、
前記支払トランザクションの処理に応答して、前記第１ユーザおよび前記少なくとも１人の第２ユーザそれぞれに対応する外部金融機関とは独立的に、前記支払プラットフォーム内で、前記第１ユーザおよび前記少なくとも１人の第２ユーザそれぞれの支払アカウントに登録されている価値をアップデートする段階である、請求項１６に記載のインスタントメッセージサービスと結合した支払プラットフォームにおける支払処理方法。
【請求項１８】
前記第１ユーザおよび前記少なくとも１人の第２ユーザそれぞれの前記インスタントメッセージサービスに対するアカウントと対応する支払アカウントを抽出する段階は、
前記第１ユーザの支払トランザクションの発生に応答して、支払サーバに含まれた支払アカウントデータベースから前記第１ユーザの支払アカウントを得る段階
を含み、
前記支払アカウントデータベースには、
前記第１ユーザおよび前記少なくとも１人の第２ユーザそれぞれの前記インスタントメッセージサービスに対するアカウントと前記第１ユーザおよび前記少なくとも１人の第２ユーザそれぞれの前記インスタントメッセージサービスに対するアカウントに対応する支払アカウントが互いにマッチングされたままで格納されることを特徴とする、請求項１６に記載のインスタントメッセージサービスと結合した支払プラットフォームにおける支払処理方法。
【請求項１９】
前記支払トランザクションは、
前記第１ユーザが前記少なくとも１人の第２ユーザに資金を伝達する送金トランザクション、
前記少なくとも１人の第２ユーザが前記第１ユーザに資金の伝達を要請する送金要請トランザクション、または
前記第１ユーザと前記少なくとも１人の第２ユーザを含むグループが第三者に資金を伝達するグループ送金トランザクション
のうちの少なくとも１つを含むことを特徴とする、請求項１６に記載のインスタントメッセージサービスと結合した支払プラットフォームにおける支払処理方法。
【請求項２０】
前記支払トランザクションが、
前記少なくとも１人の第２ユーザが前記第１ユーザに資金の伝達を要請する送金要請トランザクションである場合に、
前記第１ユーザおよび前記少なくとも１人の第２ユーザそれぞれの支払アカウントに登録されている価値をアップデートする段階は、
送金要請された資金に対応する価値だけ、前記第１ユーザの支払アカウントに登録されている価値を減らし、前記少なくとも１人の第２ユーザに登録されている価値を増やす段階
を含むことを特徴とする、請求項１９に記載のインスタントメッセージサービスと結合した支払プラットフォームにおける支払処理方法。
【請求項２１】
請求項１〜２０のうち何れか１項に記載の支払処理方法をコンピュータに実行させるコンピュータプログラム。
【発明の詳細な説明】
【技術分野】
【０００１】
下記の実施形態は、インスタントメッセージサービスを利用してユーザ間またはユーザと商人（ｍｅｒｃｈａｎｔ）間で支払処理を行う技術に関する。
【背景技術】
【０００２】
ユーザは、オンラインまたはオフライントランザクションのために多様な決済手段を活用する。例えば、ユーザは、オンラインで気に入った商品を購買した後、決済プラットフォームでクレジットカードまたは銀行口座などを利用して商品の費用を支払う。また、ユーザは、クレジットカードまたは銀行口座ではなく、決済プラットフォームで使用する支払アカウントを利用して商品の費用を支払うこともできる。
【０００３】
さらに、最近では、インスタントメッセージサービスを使用するユーザが増加している。ユーザは、インスタントメッセージサービスを利用してソーシャル関係を拡大することができ、インスタントメッセージサービスの提供者は、インスタントメッセージサービスとゲーム、広告、検索、オンラインショッピング、デジタルコンテンツ取引などのサービスを結合することを試みている。
【０００４】
特に、オンラインショッピング、インスタントメッセージサービスとオンラインショッピング、デジタルコンテンツ取引などのサービスを結合するためには支払処理過程が実行されなければならず、インスタントメッセージサービスと適切に互換することのできる支払処理システム（または支払プラットフォーム）が必要となる。
【発明の概要】
【発明が解決しようとする課題】
【０００５】
本発明の実施形態は、インスタントメッセージサービスとの結合が可能な支払プラットフォームを提供することにより、インスタントメッセージサービスを使用するユーザが支払トランザクションを便利に処理することができる支払処理方法および支払処理システムを提供する。
【０００６】
また、本発明の実施形態は、インスタントメッセージサービスのアカウントと支払アカウントをマッピングさせ、マッピングしたインスタントメッセージサービスのアカウントと支払アカウントを利用してユーザの支払トランザクションを処理することにより、インスタントメッセージサービスと支払処理サービスの互換性を増大させることができる支払処理方法および支払処理システムを提供する。
【０００７】
また、本発明の実施形態は、インスタントメッセンジャアプリケーションで生成されるチャットルームを利用して支払トランザクションの処理に関するメッセージを出力することにより、支払トランザクションがどのように処理されるかをユーザが便利に確認することができる支払処理方法および支払処理システムを提供する。
【０００８】
また、本発明の実施形態は送金、送金要請、グループ送金のような多様な支払トランザクションを処理するサービスとインスタントメッセージサービスを結合させることにより、インスタントメッセージサービスを使用するユーザに支払トランザクションに対する多様なオプションを提供する支払処理方法および支払処理システムを提供する。
【０００９】
さらに、本発明の実施形態は、インスタントメッセンジャアプリケーションのチャットルームまたはバディリストを利用して支払トランザクションの相手を特定することにより、インスタントメッセージサービスを使用するユーザの便宜性を拡大することができる支払処理方法および支払処理システムを提供する。
【課題を解決するための手段】
【００１０】
本発明の一実施形態に係るインスタントメッセージサービスを利用する支払処理方法は、第１ユーザの支払トランザクションに対する少なくとも１人の第２ユーザと前記第１ユーザとの間でインスタントメッセンジャアプリケーションによって生成されるチャットルームに関する情報を得る段階、前記第１ユーザの支払トランザクションの処理に応答して、前記第１ユーザの支払アカウントおよび前記少なくとも１人の第２ユーザそれぞれの支払アカウントをアップデートする段階、および前記第１ユーザの支払トランザクションの処理に関するメッセージを前記チャットルームで出力する段階を含む。
【００１１】
前記第１ユーザの支払トランザクションは、前記第１ユーザが前記少なくとも１人の第２ユーザに資金を伝達する送金トランザクション、前記少なくとも１人の第２ユーザが前記第１ユーザに資金の伝達を要請する送金要請トランザクション、または前記第１ユーザと前記少なくとも１人の第２ユーザを含むグループが第三者に資金を伝達するグループ送金トランザクションのうちの少なくとも１つを含んでもよい。
【００１２】
本発明の一実施形態に係るインスタントメッセージサービスを利用する支払処理システムは、前記インスタントメッセージサービスのためのインスタントメッセージサービスサーバ、前記インスタントメッセージサービスのためのインスタントメッセンジャアプリケーションを実行する第１ユーザの端末機、および前記第１ユーザの支払トランザクションを処理する支払サーバを備える。このとき、前記支払サーバは、前記第１ユーザの支払トランザクションに対する少なくとも１人の第２ユーザと前記第１ユーザとの間で前記インスタントメッセンジャアプリケーションによって生成されるチャットルームに関する情報を得るモジュール、前記第１ユーザの支払トランザクションの処理に応答して、前記第１ユーザの支払アカウントおよび前記少なくとも１人の第２ユーザそれぞれの支払アカウントをアップデートするモジュール、および前記第１ユーザの支払トランザクションの処理に関するメッセージが前記チャットルームで出力されるように前記インスタントメッセンジャサーバと通信するモジュールを備える。
【００１３】
本発明の一実施形態に係るインスタントメッセージサービスを利用する支払処理方法をコンピュータで実行するようにする命令は、コンピュータで読み取り可能な記録媒体に格納される。このとき、前記方法は、第１ユーザの支払トランザクションに対する少なくとも１人の第２ユーザと前記第１ユーザとの間でインスタントメッセンジャアプリケーションによって生成されるチャットルームに関する情報を得る段階、前記第１ユーザの支払トランザクションの処理に応答して、前記第１ユーザの支払アカウントおよび前記少なくとも１人の第２ユーザそれぞれの支払アカウントをアップデートする段階、および前記第１ユーザの支払トランザクションの処理に関するメッセージを前記チャットルームで出力する段階を含む。
【００１４】
本発明の一実施形態に係るインスタントメッセージサービスと結合した支払プラットフォームにおける支払処理方法は、インスタントメッセージアプリケーションを利用して第１ユーザと少なくとも１人の第２ユーザ（前記第１ユーザと前記少なくとも１人の第２ユーザの関係に関する情報は、前記インスタントメッセージサービスのためのサーバに格納される）との間の支払トランザクションの処理に関する要請を受信する段階、前記第１ユーザおよび前記少なくとも１人の第２ユーザそれぞれの前記インスタントメッセージサービスに対するアカウントと対応する支払アカウントを抽出する段階、および前記支払トランザクションの処理に応答して、前記第１ユーザおよび前記少なくとも１人の第２ユーザそれぞれの支払アカウントに登録されている価値をアップデートする段階を含む。
【００１５】
前記第１ユーザの支払トランザクションは、前記第１ユーザが前記少なくとも１人の第２ユーザに資金を伝達する送金トランザクション、前記少なくとも１人の第２ユーザが前記第１ユーザに資金の伝達を要請する送金要請トランザクション、または前記第１ユーザと前記少なくとも１人の第２ユーザを含むグループが第三者に資金を伝達するグループ送金トランザクションのうちの少なくとも１つを含んでもよい。
【００１６】
本発明の一実施形態に係るインスタントメッセージサービスと結合した支払プラットフォームで動作する支払サーバは、インスタントメッセージアプリケーションを利用して第１ユーザと少なくとも１人の第２ユーザ（前記第１ユーザと前記少なくとも１人の第２ユーザの関係に関する情報は、前記インスタントメッセージサービスのためのサーバに格納される）との間の支払トランザクションの処理に関する要請を受信するモジュール、前記第１ユーザおよび前記少なくとも１人の第２ユーザそれぞれの前記インスタントメッセージサービスに対するアカウントと対応する支払アカウントを抽出するモジュール、および前記支払トランザクションの処理に応答して、前記第１ユーザおよび前記少なくとも１人の第２ユーザそれぞれの支払アカウントに登録されている価値をアップデートするモジュールを備える。
【００１７】
本発明の一実施形態に係るインスタントメッセージサービスと結合した支払プラットフォームにおける支払処理方法をコンピュータで実行するようにする命令は、コンピュータで読み取り可能な記録媒体に格納される。このとき、前記方法は、インスタントメッセージアプリケーションを利用して第１ユーザと少なくとも１人の第２ユーザ（前記第１ユーザと前記少なくとも１人の第２ユーザの関係に関する情報は、前記インスタントメッセージサービスのためのサーバに格納される）との間の支払トランザクションの処理に関する要請を受信する段階、前記第１ユーザおよび前記少なくとも１人の第２ユーザそれぞれの前記インスタントメッセージサービスに対するアカウントと対応する支払アカウントを抽出する段階、および前記支払トランザクションの処理に応答して、前記第１ユーザおよび前記少なくとも１人の第２ユーザそれぞれの支払アカウントに登録されている価値をアップデートする段階を含む。
【発明の効果】
【００１８】
本発明の実施形態は、インスタントメッセージサービスとの結合が可能な支払プラットフォームを提供することにより、インスタントメッセージサービスを使用するユーザが支払トランザクションを便利に処理することができる支払処理方法および支払処理システムを提供することができる。
【００１９】
また、本発明の実施形態は、インスタントメッセージサービスのアカウントと支払アカウントをマッピングさせ、マッピングしたインスタントメッセージサービスのアカウントと支払アカウントを利用してユーザの支払トランザクションを処理することにより、インスタントメッセージサービスと支払処理サービスの互換性を増大させることができる支払処理方法および支払処理システムを提供することができる。
【００２０】
また、本発明の実施形態は、インスタントメッセンジャアプリケーションによって生成されるチャットルームを利用して支払トランザクションの処理に関するメッセージを出力することにより、支払トランザクションがどのように処理されるかをユーザが便利に確認することができる支払処理方法および支払処理システムを提供することができる。
【００２１】
また、本発明の実施形態は、送金、送金要請、グループ送金のような多様な支払トランザクションを処理するサービスとインスタントメッセージサービスを結合させることにより、インスタントメッセージサービスを使用するユーザに支払トランザクションに対する多様なオプションを提供することができる支払処理方法および支払処理システムを提供することができる。
【００２２】
さらに、本発明の実施形態は、インスタントメッセンジャアプリケーションのチャットルームまたはバディリストを利用して支払トランザクションの相手を特定することにより、インスタントメッセージサービスを使用するユーザの便宜性を拡大することができる支払処理方法および支払処理システムを提供することができる。
【図面の簡単な説明】
【００２３】
【図１】本発明の一実施形態に係るインスタントメッセージサービス（Ｉｎｓｔａｎｔ  Ｍｅｓｓａｇｅ  Ｓｅｒｖｉｃｅ：ＩＭＳ）サーバ、支払サーバ、および複数のユーザ端末を備えるインスタントメッセージサービスを利用した支払処理システムを示した図である。
【図２】本発明の一実施形態によって支払処理のための機能を備えているユーザ端末を含むオンライン／オフライン取引システムを示した図である。
【図３Ａ】本発明の一実施形態に係るＩＭＳサーバのバディ関係データベースに格納されているインスタントメッセージサービスのアカウントと支払サーバの支払アカウントデータベースに格納されている支払アカウントの関係を示した図である。
【図３Ｂ】図３Ａに示されたユーザＸが、ユーザＸのバディであるユーザＡに対する支払トランザクションを実行する場合に、支払アカウントデータベースで価値伝達が成立することを概念的に示した図である。
【図４】ＩＭＳアカウントがユーザＸであるユーザにマッピングされた支払アカウントおよび詳細な情報を示したデータ構造である。
【図５】本発明の一実施形態に係るインスタントメッセージサービスを利用した支払処理方法を示した例示的なフローチャートである。
【図６】本発明の一実施形態によって支払アカウントを登録する場合のユーザ端末機の画面を示した例示図である。
【図７】本発明の一実施形態によってインスタントメッセージアプリケーションで「送金」支払トランザクションを実行する場合のユーザ端末機の画面を示した例示図である。
【図８】本発明の一実施形態によってインスタントメッセージアプリケーションで「送金要請」支払トランザクションを実行する場合のユーザ端末機の画面を示した例示図である。
【図９】本発明の一実施形態によってインスタントメッセージアプリケーションで「グループ送金」支払トランザクションを実行する場合のユーザ端末機の画面を示した例示図である。
【図１０】本発明の一実施形態によって支払トランザクションが完了した後のユーザ端末機の画面を示した図である。
【図１１】本発明の一実施形態によってユーザ端末機、ＩＭＳサーバ、または支払サーバで実現されるコンピュータ装置の例を示したブロック図である。
【発明を実施するための形態】
【００２４】
以下、本発明の実施形態について、添付の図面を参照しながら詳細に説明する。
【００２５】
図１は、本発明の一実施形態に係るインスタントメッセージサービス（Ｉｎｓｔａｎｔ  Ｍｅｓｓａｇｅ  Ｓｅｒｖｉｃｅ：ＩＭＳ）サーバ、支払サーバ、および複数のユーザ端末を備えるインスタントメッセージサービスを利用した支払処理システムを示した図である。
【００２６】
図１を参照すると、インスタントメッセージサービスを利用した支払処理システムは、複数のユーザ端末１１０、１２０、１３０、ＩＭＳサーバ１４０、および支払サーバ１５０を備える。複数のユーザ端末１１０、１２０、１３０は、スマートフォンやタブレットＰＣなどのようなモバイルコンピュータ装置またはＰＣを含んでもよい。
【００２７】
複数のユーザ端末１１０、１２０、１３０それぞれにはインスタントメッセンジャアプリケーションがインストールされていてもよく、複数のユーザ端末１１０、１２０、１３０はＩＭＳサーバ１４０と通信してもよい。ユーザは、インスタントメッセンジャアプリケーションを利用してソーシャル関係を形成してもよく、インスタントメッセージをリアルタイムで送／受信してもよい。ここで、ソーシャル関係は、ユーザそれぞれのバディリストで表現されてもよく、複数のユーザ端末１１０、１２０、１３０は、それぞれのバディリストおよびチャットルームに関する情報を同期化するためにＩＭＳサーバ１４０と通信してもよい。
【００２８】
ユーザがインスタントメッセージサービスの提供を受けると同時に、ユーザは多様な支払処理を行うためにインスタントメッセンジャアプリケーションと結合する支払機能を活用してもよい。例えば、ユーザは、インスタントメッセージサービスの提供を受けている途中に、商品やデジタルコンテンツに対する支払処理を要求してもよく、オフラインショップで商人に対する支払処理を要求してもよい。これだけでなく、ユーザは、インスタントメッセージサービスによって形成されたバディリストに含まれている相手に資金を伝達してもよく、相手に資金の伝達を要請してもよい。後述して説明するが、このようなユーザの支払トランザクションは多様な状況で頻繁に発生するようになるが、本発明の実施形態は、少なくとも下記の３種類の支払トランザクションの支援が可能である。
【００２９】
＜ユーザの支払トランザクションの例＞
・ユーザが相手に資金を伝達する送金トランザクション、
・相手がユーザに資金の伝達を要請する送金要請トランザクション、または
・ユーザと前記少なくとも１人の相手を含むグループが第三者に資金を伝達するグループ送金トランザクション。
【００３０】
また、ユーザがインスタントメッセージサービスの提供を受けると同時に、ユーザが多様な支払処理を行うために、インスタントメッセージサービスに対するアカウントと支払アカウントは互いにマッピングされる。すなわち、ＩＭＳサーバ１４０は、ユーザそれぞれのインスタントメッセージサービスに対するアカウントを格納し、支払サーバ１５０は、ユーザそれぞれの支払アカウントを格納する。このとき、インスタントメッセージサービスに対するアカウントと支払アカウントは、互いにマッピングされたままで維持される。
【００３１】
図２は、本発明の一実施形態によって支払処理のための機能を備えているユーザ端末を含むオンライン／オフライン取引システムを示した図である。
【００３２】
図２を参照すると、ユーザ端末Ａ２１０は、ＩＭＳでバディリストに含まれているユーザ端末Ｂ２２０と支払トランザクションを行ってもよい。例えば、ユーザ端末Ａ２１０は、自身の支払アカウントに登録されている価値（ｖａｌｕｅ）内から所望する金額をユーザ端末Ｂ２２０に振り込んでもよい。このとき、ユーザ端末Ａ２１０の支払アカウントに登録されている価値（ｖａｌｕｅ）の一部または全部は、外部金融機関１（２３０）および外部金融機関２（２４０）の援助なくユーザ端末Ｂ２２０に伝達されてもよい。すなわち、ユーザ端末Ａ２１０の支払アカウントに登録されている価値の一部または全部がユーザ端末Ｂ２２０に伝達されることに応答して、支払システム（図１に示されたＩＭＳサーバ１４０および支払サーバ１５０を含む）は、ユーザ端末Ｂ２２０の支払アカウントをアップデートする。ユーザ端末Ｂ２２０がユーザ端末Ａ２１０から伝達された価値を実際の貨幤に交換しようとする場合にも、外部金融機関１（２３０）および外部金融機関２（２４０）間の相互作用は発生しなくてもよい。より具体的に、支払システムは、ユーザ端末Ｂ２２０と同じようにユーザ端末Ｂ２２０の銀行口座が登録されている外部金融機関２（２４０）に銀行口座を所有していてもよく、ユーザ端末Ｂ２２０がユーザ端末Ａ２１０から伝達された価値を実際の貨幤に交換しようとする場合、支払システムの銀行口座からユーザ端末Ｂ２２０の銀行口座に実際の貨幤が伝達される。このような過程により、外部金融機関１（２３０）および外部金融機関２（２４０）間の直接的な相互作用がなくても、ユーザ端末Ａ２１０からユーザ端末Ｂ２２０に伝達された価値を実際の貨幤としてユーザ端末Ｂ２２０に提供することができる。
【００３３】
また、ユーザ端末Ｂ２２０は、所望する金額の振込をユーザ端末A２１０に要請してもよい。これだけでなく、ユーザ端末Ａ２１０、Ｂ２２０は、外部金融機関２３０、２４０を利用して支払アカウントに登録されている価値を増やすために資金を預金（ｄｅｐｏｓｉｔ）してもよく、支払アカウントに登録されている価値を外部金融機関２３０、２４０を利用して実際の貨幤に交換してもよい。
【００３４】
また、ユーザ端末Ａ２１０、Ｂ２２０は、オンライン販売者２５０およびオフライン販売者２５０に対して、支払アカウントを利用して決済手続きを行ってもよい。このとき、支払アカウントは、ユーザ端末Ａ２１０、Ｂ２２０によって登録されているクレジットカードおよび銀行口座と連結していてもよく、決済が完了すると、外部金融機関２３０、２４０を利用して精算手続きが行われる。
【００３５】
また、上述したように、ユーザ端末Ａ２１０とユーザ端末Ｂ２２０は、政策的に許容される範囲内または支払アカウントによって登録された価値内で、送金、送金要請、グループ送金のような支払トランザクションを行ってもよい。このとき、支払アカウントを所有しているユーザ端末間では、外部金融機関２３０、２４０とは独立的に、支払サーバを含む支払プラットフォーム内で価値の伝達が完成する。例えば、ユーザ端末Ａ２１０が支払アカウントに登録されている１ドルをユーザ端末Ｂ２２０に送金した場合、ユーザ端末Ａ２１０の外部金融機関１（２３０）からユーザ端末Ｂ２２０の外部金融機関２（２４０）に資金が伝達されるのではなく、ユーザ端末Ａ２１０の支払アカウントからユーザ端末Ｂ２２０の支払アカウントに１ドルの価値が直接的に伝達されるようになる。
【００３６】
図３Ａは、本発明の一実施形態に係るＩＭＳサーバのバディ関係データベースに格納されているインスタントメッセージサービスのアカウントと支払サーバの支払アカウントデータベースに格納されている支払アカウントとの関係を示した図である。
【００３７】
図３Ａを参照すると、ＩＭＳサーバのバディ関係データベースは、ＩＭＳを使用するユーザのＩＭＳに対するアカウント（ユーザＸ、ユーザＡ、Ｂ、Ｃ、Ｄ）を格納している。例えば、バディ関係データベースは、ユーザＸとバディ関係を形成しているユーザＡ、Ｂ、Ｃ、ＤのＩＭＳに対するアカウントを格納する。
【００３８】
また、支払サーバの支払アカウントデータベースは、ＩＭＳを利用して支払機能を使用するユーザの支払アカウントを格納している。例えば、支払アカウントデータベースには、ユーザＸの支払アカウントＸ、ユーザＡの支払アカウントＡ、ユーザＣの支払アカウントＣ、ユーザＤの支払アカウントＤが格納される。ここで、ユーザＢは支払機能を使用していないため、ユーザＢの支払アカウントは支払アカウントデータベースには存在しない。
【００３９】
このとき、支払アカウントそれぞれは、バディ関係データベースに格納されているＩＭＳアカウントのいずれか１つとマッピング（又は対応）する。したがって、本発明の実施形態によると、特定のユーザがＩＭＳのバディリストまたはチャットルームから少なくとも１人の相手を選択することにより、選択された少なくとも１人の相手の支払アカウントが分からなくても、所望する支払トランザクションを実行することができる。図３Ｂでは、ユーザＸがバディ関係にあるユーザＡの支払アカウントＡが分からくても、所望する支払トランザクションを実行することを例示して説明する。
【００４０】
図３Ｂは、図３Ａに示されたユーザＸが、ユーザＸのバディであるユーザＡに対する支払トランザクションを行う場合に、支払アカウントデータベースで価値伝達が成立することを概念的に示した図である。
【００４１】
図３Ｂを参照すると、ユーザ端末Ｘ３３０のユーザＸとユーザ端末Ａ３４０のユーザＡは、ＩＭＳ上でバディ関係にある。すなわち、ユーザＸのＩＭＳアカウントＸとバディ関係にあるユーザのＩＭＳアカウントは、バディ関係データベース３５０でバディ関係リスト３５１として格納され、管理される。このとき、支払アカウントデータベース３６０は、ユーザＸのＩＭＳアカウントＸに対応する支払アカウントＸ３６１とユーザＡの支払アカウントＡ３６２を格納し、管理する。
【００４２】
ユーザＸがバディ関係にあるユーザＡに対して支払トランザクションを行う場合に、ユーザＸの支払アカウントＸ３６１とユーザＡの支払アカウントＡ３６２の間で価値伝達が行われる。例えば、ユーザＸが１ドルの価値をユーザＡに伝達しようとする場合、ユーザＸの支払アカウントＸ３６１から１ドルの価値がユーザＡの支払アカウントＡ３６２に伝達される。
【００４３】
このとき、ユーザＸとユーザＡが互いに相手の支払アカウントを把握することを要求しない場合もあるため、ユーザＸの支払アカウントＸ３６１とユーザＡの支払アカウントＡ３６２が互いに公表されなくても、支払トランザクションを行うことができる。すなわち、ユーザＸがユーザＡの支払アカウントＡ３６２を知らなくても、上述した支払トランザクションを成功的に行うことができる。ユーザＸとユーザＡはＩＭＳ上でバディ関係にあることから、本発明の支払アカウントデータベース３６０を含む支払サーバ（図示せず）は、ユーザＸのＩＭＳアカウントＸとマッピングされている支払アカウントＸ３６１とユーザＡのＩＭＳアカウントＡとマッピングされている支払アカウントＡ３６２を抽出してもよく、抽出した支払アカウントＸ３６１と支払アカウントＡ３６２との間で価値が伝達されてもよい。
【００４４】
図４は、ＩＭＳアカウントがユーザＸであるユーザとマッピングされている支払アカウントおよび詳細な情報を示したデータ構造である。
【００４５】
図４を参照すると、ＩＭＳアカウント「ユーザＸ」には「支払アカウントＸ」がマッピングされている。このとき、支払アカウントデータベースは、支払アカウントＸに関する多様な情報を格納する。例えば、支払アカウントデータベースには、支払アカウントＸと連結している複数の銀行口座に関する情報や、複数のクレジットカードに関する情報が格納されてもよい。ユーザＸは、銀行口座またはクレジットカードのうちの少なくとも１つを利用して、支払アカウントの価値を所望する量だけ増加させてもよく、支払アカウントに登録されている価値を実際の貨幤に替えてもよい。このとき、支払アカウントに登録されている仮想貨幤の価値は、実際の貨幤と同じ単位であってもよい。
【００４６】
また、支払アカウントデータベースは、支払アカウントＸを利用して行われた多くの支払トランザクションの内訳を格納してもよく、支払トランザクションを行う過程で発生したトランザクションメッセージの内訳を格納してもよい。
【００４７】
また、支払アカウントＸは、ユーザＸによって設定された保安要素（又はセキュリティ要素）に基づいて安全に保護されてもよい。このとき、ユーザＸによって設定された保安要素としては、パスワード、ユーザによって描かれる保安パターン（又はセキュリティパターン）、ユーザの指紋、瞳孔、音声のような生体情報、ユーザ端末とは別途に存在する保安装置などを含んでもよい。
【００４８】
図５は、本発明の一実施形態に係るインスタントメッセージサービスを利用する支払処理方法を示した例示的なフローチャートである。
【００４９】
図５を参照すると、ユーザは、インスタントメッセンジャアプリケーションのバディリスト５１０に含まれている友達Ａ、Ｂ、Ｃとソーシャル関係を形成しており、インスタントメッセンジャアプリケーションを利用して生成されたチャットルーム５２０で、友達Ａ、友達Ｂとインスタントメッセージを送／受信している。ここで、チャットルーム５２０は固有識別番号を有し、チャットルーム５２０の固有識別番号およびチャットルーム５２０に参加する参加者に関する情報はＩＭＳサーバに格納される。
【００５０】
本発明の実施形態によると、ユーザは、インスタントメッセンジャアプリケーションのバディリスト５１０またはチャットルーム５２０を利用して支払トランザクションに対する少なくとも１人の相手を識別する（５３０）。ユーザと少なくとも１人の相手の間にチャットルームが既に存在している場合に、ＩＭＳサーバまたは支払サーバは、チャットルームに関する情報からユーザおよび相手それぞれのＩＭＳアカウントと支払アカウントを識別してもよい。これとは反対に、ユーザと少なくとも１人の相手の間にチャットルームが存在しない状況の場合には、ＩＭＳサーバによってチャットルームが生成され、ＩＭＳサーバまたは支払サーバは、新たに生成されたチャットルームに関する情報からユーザおよび相手それぞれのＩＭＳアカウントと支払アカウントを識別してもよい。
【００５１】
ユーザは、上述したような多様な支払トランザクションのうちの少なくとも１つを実行し、支払サーバは、ユーザによって要求された支払トランザクションを処理する（５４０）。ユーザの支払トランザクションは、ユーザが相手に資金を伝達する送金トランザクション、相手がユーザに資金の伝達を要請する送金要請トランザクション、またはユーザと前記少なくとも１人の相手を含むグループが第三者に資金を伝達するグループ送金トランザクションを含んでもよい。
【００５２】
ユーザが相手に資金を伝達する送金トランザクション
ユーザは、チャットルームまたはバディリストから識別された少なくとも１人の相手に、ユーザの支払アカウントに登録されている価値内で資金を伝達してもよい。このとき、ユーザ端末間では、外部金融機関とは独立的に、支払サーバを含む支払プラットフォーム内で資金の伝達が完成する。例えば、ユーザが支払アカウントに登録されている１ドルを相手に送金した場合、ユーザの外部金融機関から相手の外部金融機関に資金が伝達されるのではなく、ユーザの支払アカウントから相手の支払アカウントに資金が直接的に伝達されてもよい。
【００５３】
例えば、ユーザＡの支払アカウントに登録されている価値（ｖａｌｕｅ）のうちの１ドルがユーザＢに伝達されたと仮定しよう。このとき、支払システムは、ユーザＢと同じようにユーザＢの銀行口座が登録されている外部金融機関（例えば、銀行）と同じ機関に銀行口座を所有していてもよく、ユーザＢがユーザＡから伝達された価値を実際の貨幤に交換しようとする場合、支払システムの銀行口座からユーザＢの銀行口座に実際の貨幤が伝達される。本発明の実施形態に係る支払システムは、ユーザＢの銀行口座が登録されている外部金融機関（例えば、銀行）と同じ機関に銀行口座を所有していてもよく、同じ外部金融機関内での資金の伝達には、極めて短い時間遅延が発生するか、時間遅延が発生しない。したがって、本発明の実施形態によると、ユーザＢは、ユーザＡから価値が伝達された後、実質的な時間の遅延なく、伝達された価値を実際の貨幤に迅速に交換することができる。このような過程により、ユーザＡの銀行とユーザＢの銀行の間に直接的な相互作用がなくても、ユーザＡからユーザＢに伝達された価値を実際の貨幤として迅速にユーザＢに提供することができる。
【００５４】
さらに具体的な例として、ユーザＡはＸ銀行の口座を所有し、ユーザＢはＹ銀行の口座を所有し、支払システムはＸ銀行の口座およびＹ銀行の口座をすべて所有していると仮定しよう。このとき、支払システムは、支払システムが所有しているＸ銀行の口座およびＹ銀行の口座のうち、ユーザＢと同じＹ銀行の口座を選択してもよく、選択されたＹ銀行の口座を利用してユーザＢが所有しているＹ銀行の口座に、ユーザＡの支払アカウントからユーザＢの支払アカウントに伝達された価値に対応する資金を送金してもよい。そして、ユーザＢは、ユーザＡの支払アカウントからユーザＢの支払アカウントに伝達された価値に対応する資金を、Ｙ銀行の口座を利用して実際の貨幤に交換してもよい。このとき、支払システムとユーザＢの両者がＹ銀行の口座を所有しているため、ユーザＢは、支払システムから迅速に資金の伝達を受けることができる。
【００５５】
相手がユーザに資金の伝達を要請する送金要請トランザクション
相手は、ユーザに資金の伝達を要請してもよい。例えば、特定の商品またはデジタルコンテンツを購買したいのに、この費用をすべて賄うことのできない相手は、ユーザからの助けを得るためにユーザに資金の伝達を要請してもよい。このような場合、相手から資金伝達の要請を受けたユーザは、相手の要請を承認することによって簡単に相手を援助してもよい。上述したように、ユーザ端末間では、外部金融機関とは独立的に、支払サーバを含む支払プラットフォーム内で資金の伝達が完成する。
【００５６】
ユーザと少なくとも１人の相手を含むグループが第三者に資金を伝達するグループ送金トランザクション
本発明の実施形態によると、ユーザおよび少なくとも１人の相手を含むグループが第三者に資金を伝達してもよい。ここで、第三者は、前記グループのメンバーであってもよく、グループのメンバーでなくてもよい。
【００５７】
例えば、ユーザＡ、Ｂ、Ｃがレストランで一緒に昼食をとり、合計３０ドルの食事費用を負担しなければならないと仮定しよう。このとき、昼食費用に対してユーザＡ、Ｂ、Ｃそれぞれが３０／３＝１０ドルを負担しなければならないとき、本発明の実施形態によると、ユーザＡ、Ｂ、Ｃそれぞれは、１つのチャットルームを利用し、支払アカウントによって支払トランザクションを行ってもよい。さらに他の例として、ユーザＡ、Ｂ、ＣのうちのユーザＡが全体の費用を負担すると、ユーザＢ、Ｃはそれぞれ１０ドルをユーザＡの支払アカウントに伝達してもよい。
【００５８】
上述したような支払トランザクションが処理されると、本発明の実施形態は、支払トランザクションの処理に応答して、前記ユーザの支払アカウントおよび前記少なくとも１人の相手それぞれの支払アカウントをアップデートする（５５０）。
【００５９】
例えば、ユーザＡが１ドルの資金をユーザＢの支払アカウントに伝達すると、ユーザＡの支払アカウントに登録されている価値から１ドル分が減り、ユーザＢの支払アカウントに登録されている価値は１ドル分が増えるようになる。もちろん、支払トランザクションを処理する過程で手数料が発生する場合には、その手数料に対応する価値が、ユーザＡの支払アカウントまたはユーザＢの支払アカウントか引かれるようになる。
【００６０】
本発明の実施形態によると、支払トランザクションの開始、支払トランザクションを処理する過程、支払トランザクションの処理結果（支払アカウントのアップデートなど）は、チャットルームを利用してインスタントメッセージの形態で出力される（５６０）。これについては、図６〜図９を参照しながら詳しく説明する。
【００６１】
図６は、本発明の一実施形態によって支払アカウントを登録する場合のユーザ端末機の画面を示した例示図である。
【００６２】
図６の画面６１０を参照すると、ユーザは、インスタントメッセンジャアプリケーションを利用して支払アカウントに登録されている価値を照会してもよい。画面６１０に示すように、ユーザの支払アカウントは「００−０１０−１２３４−１２３４」であり、支払アカウントに登録されている現在の価値は０ウォンである。ユーザが画面６１０の「チャージ」ボタンを選択した場合、画面６２０がインスタントメッセンジャアプリケーションによって出力される。
【００６３】
画面６２０に示すように、ユーザは、支払アカウントと連結している複数の銀行口座のいずれか１つを利用して、支払アカウントに登録されている価値をチャージしてもよい。このとき、画面６３０に示すように、ユーザは複数の銀行口座のいずれか１つを選択してもよく、画面６４０に示すように、追加で銀行口座を登録してもよい。
【００６４】
図７は、本発明の一実施形態によってインスタントメッセージアプリケーションで「送金」支払トランザクションを実行する場合のユーザ端末機の画面を示した例示図である。
【００６５】
画面７１０は、「Ｂ」（兄）の端末機に出力される画面を示している。画面７１０を参照すると、「Ｂ」（兄）は「Ａ」（妹）からインスタントメッセージを受信し、「Ｂ」（兄）のインスタントメッセンジャアプリケーションのチャットルームには「今日は私の誕生日よ」という「Ａ」（妹）から受信したインスタントメッセージが出力される。「Ｂ」（兄）は「Ａ」（妹）の誕生日を祝うために資金を「Ａ」（妹）に伝達してもよく、このために、チャットルームで提供される「支払機能」ボタンを選択してもよい。「Ｂ」（兄）が、「Ｂ」（兄）と「Ａ」（妹）の間のチャットルームで「支払機能」ボタンを選択した場合、「Ｂ」（兄）の支払トランザクションの相手は「Ａ」（妹）であると識別される。
【００６６】
画面７２０を参照すると、「Ｂ」（兄）が支払機能を選択したことに応答して、多様なオプションが提供される。このとき、「Ｂ」（兄）は、送金、送金要請、グループ送金から、自身が所望する支払トランザクションを選択してもよい。「Ｂ」（兄）は「Ａ」（妹）に資金を伝達するために、「送金」支払トランザクションを選択する。
【００６７】
画面７３０を参照すると、「Ｂ」（兄）は、「Ｂ」（兄）の支払アカウントから「Ａ」（妹）の支払アカウントに伝達される金額を「１０，０００ウォン」と入力してもよい。これだけでなく、「Ｂ」（兄）は、資金と共に伝達されるメッセージ「誕生日おめでとう」を追加で作成してもよい。
【００６８】
画面７４０は、「Ａ」（妹）の端末機に出力される画面を示している。画面７４０を参照すると、「Ａ」（妹）の端末機には、「Ｂ」（兄）の支払トランザクションの処理に関するトランザクションメッセージ７４１が出力される。
【００６９】
このとき、トランザクションメッセージ７４１は、一般的なインスタントメッセージと区別できるように多くの属性を有してもよい。特に、トランザクションメッセージ７４１は、固定フォーマット領域７４２、ユーザ編集領域７４３、およびインタラクション領域７４４を１つの吹き出し内に含んでもよい。固定フォーマット領域７４２は、支払トランザクションの処理に応答して固定されるフォーマットとして自動的に生成される。また、ユーザ編集領域７４３は、「Ｂ」（兄）によって編集されるテキスト、イメージ、またはビデオのうちの少なくとも１つを含む。また、インタラクション領域７４４でユーザのインタラクションが感知されると、このインタラクションに基づいて前記支払トランザクションの追加の処理が行われる。例えば、「Ａ」（妹）がインタラクション領域７４４をタッチすることにより、「Ｂ」（兄）から伝達された資金を自身の支払アカウントに移動させてもよい。また、「Ａ」（妹）が支払アカウントを所有していない場合には、「Ａ」（妹）がインタラクション領域７４４をタッチすることで、支払アカウントを登録することができる画面に移動してもよい。
【００７０】
図８は、本発明の一実施形態によってインスタントメッセージアプリケーションで「送金要請」支払トランザクションを実行する場合のユーザ端末機の画面を示した例示図である。
【００７１】
図８を参照すると、画面８１０は、「息子Ｂ」が本を買うために「母」に特定の資金の送金を要請する画面を示している。
【００７２】
息子が「送金要請」に対するトランザクションメッセージ（送金要請メッセージ）８２３を母に送信すると、画面８２０に示すような画面が母のインスタントメッセンジャアプリケーションによって出力される。このとき、トランザクションメッセージ（送金要請メッセージ）８２１は、固定フォーマット領域８２１およびユーザ編集領域８２２を含んでもよく、固定フォーマット領域８２１は、息子が送金要請を送信することによって固定されたフォーマットとして自動的に生成される。また、ユーザ編集領域８２２は、息子によって編集されるテキスト、イメージ、またはビデオのうちの少なくとも１つを含む。
【００７３】
母がトランザクションメッセージ（送金要請メッセージ）８２１に対してインタラクションを加えたり、トランザクションメッセージ（送金要請メッセージ）８２１の下端部にあるインタラクション領域にインタラクションを加えると、画面８３０が母の端末機に表示される。すなわち、息子と母の間に形成されたチャットルームで息子の送金要請に対してインタラクションが加えられた場合、母の支払トランザクションに対する相手は自動的に息子（Ｂ）であると識別される。そして、トランザクションメッセージ（送金要請メッセージ）８２１に含まれた送金要請金額が抽出され、抽出された送金要請金額が自動的に設定される。母は送金要請金額に対して送金を行うか否かを決めることができ、その決定にしたがって支払トランザクションの処理が完了する。
【００７４】
また、母の支払アカウントが存在しない場合には、母がトランザクションメッセージ（送金要請メッセージ）８２１に対してインタラクションを加えたり、トランザクションメッセージ（送金要請メッセージ）８２１の下端部にあるインタラクション領域にインタラクションを加えると、母が支払アカウントを登録することができる画面が出力されるようにしてもよい。
【００７５】
図９は、本発明の一実施形態によってインスタントメッセージアプリケーションで「グループ送金」支払トランザクションを実行する場合のユーザ端末機の画面を示した例示図である。
【００７６】
図９を参照すると、画面９１０は、ユーザが３２，４００ウォンという金額に対してグループ送金を選択し、グループ送金に参加するメンバーと合計金額を入力することを示している。ユーザが合計金額３２，４００ウォンを入力した後、画面９２０に示すように、グループ送金に参加するメンバーを選択するためにバディリストが出力されてもよい。このとき、ユーザは、友達Ａ、Ｄをメンバーとして選択してもよいが、このような場合には、画面９３０に示すように、前記ユーザ、友達Ａ、Ｄがグループ送金に参加するメンバーとして最終決定されてもよい。
【００７７】
このとき、前記ユーザ、友達Ａ、Ｄそれぞれには、画面９４０に示すように、３２，４００に対する個人負担金額の３２，４００／３＝１０，８００ウォンが自動的に計算されてもよく、計算された個人負担金額が第三者に送金されてもよい。ここで、第三者とは、オンライン販売者、オフライン販売者であってもよく、前記ユーザ、友達Ａ、Ｄのいずれか１人であってもよい。
【００７８】
ユーザ、友達Ａ、Ｄそれぞれは、それぞれの支払アカウントを利用して個人負担金額である１０，８００ウォンを第三者に送金してもよく、ユーザ、友達Ａ、Ｄそれぞれが１０，８００ウォンを第三者に送金したか否かに対する指示子がインスタントメッセンジャアプリケーションによって提供されてもよい。例えば、ユーザ、友達Ａ、Ｄが参加するチャットルームにて、ユーザ、友達Ａ、Ｄそれぞれが１０，８００ウォンを第三者に送金したか否かを示すインスタントメッセージが出力されてもよく、ユーザ、友達Ａ、Ｄそれぞれが１０，８００ウォンを第三者に送金したか否かを示すグラフィック的な効果が適用されてもよい。
【００７９】
図１０は、本発明の一実施形態によって支払トランザクションが完了した後のユーザ端末機の画面を示した図である。
【００８０】
図１０の画面１０１０を参照すると、ユーザは、支払アカウントに対する入出金記録をインスタントメッセンジャアプリケーションによって確認してもよい。すなわち、画面１０２０に示すように、すべての支払トランザクションに対する記録がユーザに提供されてもよく、その記録は、支払トランザクションの相手に関する情報、時間に関する情報、金額に関する情報、トランザクションメッセージに関する情報を含んでもよい。また、ユーザは、出金記録または入金記録のみを選択的に確認してもよい。
【００８１】
また、画面１０３０を参照すると、ユーザは、インスタントメッセージサービスの友達それぞれに対するトランザクション記録を確認してもよい。例えば、画面１０３０に示すように、ユーザは、友達Ａ、Ｂ、Ｃ、Ｄに対する入出金記録を確認してもよい。
【００８２】
図１１は、本発明の一実施形態によってユーザ端末機、ＩＭＳサーバ、または支払サーバで実現されるコンピュータ装置の例を示したブロック図である。
【００８３】
上述した装置は、ハードウェア構成要素、ソフトウェア構成要素、および／またはハードウェア構成要素およびソフトウェア構成要素の組み合わせによって実現されてもよい。例えば、実施形態で説明された装置および構成要素は、例えば、プロセッサ、コントローラ、ＡＬＵ（ａｒｉｔｈｍｅｔｉｃ  ｌｏｇｉｃ  ｕｎｉｔ）、デジタル信号プロセッサ（ｄｉｇｉｔａｌ  ｓｉｇｎａｌ  ｐｒｏｃｅｓｓｏｒ）、マイクロコンピュータ、ＦＰＡ（ｆｉｅｌｄ  ｐｒｏｇｒａｍｍａｂｌｅ  ａｒｒａｙ）、ＰＬＵ（ｐｒｏｇｒａｍｍａｂｌｅ  ｌｏｇｉｃ  ｕｎｉｔ）、マイクロプロセッサ、または命令（ｉｎｓｔｒｕｃｔｉｏｎ）を実行して応答することができる異なる装置のように、１つ以上の汎用コンピュータまたは特殊目的コンピュータを利用して実現されてもよい。処理装置は、運営体制（ＯＳ）および運営体制上で実行される１つ以上のソフトウェアアプリケーションを実行してもよい。また、処理装置は、ソフトウェアの実行に応答し、データをアクセス、格納、操作、処理、および生成してもよい。理解の便宜のために、処理装置は１つが使用されると説明される場合もあるが、該当する技術分野において通常の知識を有する者は、処理装置が複数の処理要素（ｐｒｏｃｅｓｓｉｎｇ  ｅｌｅｍｅｎｔ）および／または複数類型の処理要素を含んでもよいことを理解することができる。例えば、処理装置は、複数のプロセッサまたは１つのプロセッサおよび１つのコントローラを含んでもよい。また、並列プロセッサ（ｐａｒａｌｌｅｌ  ｐｒｏｃｅｓｓｏｒ）のような、他の処理構成（ｐｒｏｃｅｓｓｉｎｇ  ｃｏｎｆｉｇｕｒａｔｉｏｎ）も可能である。
【００８４】
図１１は、本発明の一実施形態において、コンピュータシステムの内部構成の一例を説明するためのブロック図である。一例として、上述したユーザの端末機および／またはサーバが、本実施形態に係るコンピュータシステム１１００によって実現されてもよい。このようなコンピュータシステム１１００は、少なくとも１つのプロセッサ（ｐｒｏｃｅｓｓｏｒ）１１１０、少なくとも１つのメモリ（ｍｅｍｏｒｙ）１１２０、周辺装置インタフェース（ｐｅｒｉｐｈｅｒａｌ  ｉｎｔｅｒｆａｃｅ）１１３０、入／出力システム（Ｉ／Ｏ  ｓｙｓｔｅｍ）１１４０、電力部１１５０、および通信部１１６０を少なくとも備えてもよい。
【００８５】
このような図１１の実施形態は、コンピュータシステム１１００の一例に過ぎず、コンピュータシステム１１００は、図１１には示されていない追加のコンポーネントをさらに備えたり、２つ以上のコンポーネントを結合させる構成または配置を有してもよい。例えば、モバイル端末機のためのコンピュータシステムは、図１１に示すコンポーネントの他にも、タッチスクリーンやセンサなどをさらに備えてもよく、通信部１１６０にＲＦ通信のための回路が備えられてもよい。コンピュータシステム１１００に含まれることができるコンポーネントは、１つ以上の信号処理またはアプリケーションに特化された集積回路を含むハードウェア、ソフトウェア、またはハードウェアおよびソフトウェアの組み合わせによって実現されてもよい。
【００８６】
メモリ１１２０は、一例として、高速ランダムアクセスメモリ（ｈｉｇｈ−ｓｐｅｅｄ  ｒａｎｄｏｍ  ａｃｃｅｓｓ  ｍｅｍｏｒｙ）、磁気ディスク、ＳＲＡＭ、ＤＲＡＭ、ＲＯＭ、フラッシュメモリ、または非揮発性メモリを含んでもよい。メモリ１１２０は、コンピュータシステム１１００の動作に必要なソフトウェアモジュール、命令語集合、またはその他の多様なデータを含んでもよい。このとき、プロセッサ１１１０や周辺装置インタフェース１１３０などの他のコンポーネントからメモリ１１２０へのアクセスは、プロセッサ１１１０によって制御されてもよい。
【００８７】
周辺装置インタフェース１１３０は、コンピュータシステム１１００の入力および／または出力周辺装置をプロセッサ１１１０およびメモリ１１２０に結合させてもよい。プロセッサ１１１０は、メモリ１１２０に格納されたソフトウェアモジュールまたは命令語集合を実行し、コンピュータシステム１１００のための多様な機能を実行してデータを処理してもよい。
【００８８】
入／出力システム１１４０は、多様な入／出力周辺装置を周辺装置インタフェース１１３０に結合させてもよい。例えば、入／出力システム１１４０は、モニタやキーボード、マウス、プリンタ、または必要によってはタッチスクリーンやセンサなどの周辺装置を周辺装置インタフェース１１３０に結合させるためのコントローラを含んでもよい。他の側面によると、入／出力周辺装置は、入／出力システム１１４０を経ずに周辺装置インタフェース１１３０に結合してもよい。
【００８９】
電力部１１５０は、端末機のコンポーネントの全部または一部に電力を供給してもよい。例えば、電力回路１１５０は、電力管理システム、バッテリや交流（ＡＣ）などのような１つ以上の電源、充電システム、停電検出回路（ｐｏｗｅｒ  ｆａｉｌｕｒｅ  ｄｅｔｅｃｔｉｏｎ  ｃｉｒｃｕｉｔ）、電力変換器やインバータ、電力状態表示子、または電力生成、管理、分配のための任意の他のコンポーネントを含んでもよい。
【００９０】
通信部１１６０は、少なくとも１つの外部ポートを利用して他のコンピュータシステムとの通信を可能にしてもよい。または、上述したように、必要によって通信部１１６０はＲＦ回路を含み、電磁気信号（ｅｌｅｃｔｒｏｍａｇｎｅｔｉｃ  ｓｉｇｎａｌ）とも知られたＲＦ信号を送受信することにより、他のコンピュータシステムとの通信を可能にしてもよい。
【００９１】
ソフトウェアは、コンピュータプログラム（ｃｏｍｐｕｔｅｒ  ｐｒｏｇｒａｍ）、コード（ｃｏｄｅ）、命令（ｉｎｓｔｒｕｃｔｉｏｎ）、またはこれらのうちの１つ以上の組み合わせを含んでもよく、所望するとおりに動作するように処理装置を構成したり、独立的または結合的に（ｃｏｌｌｅｃｔｉｖｅｌｙ）処理装置を命令してもよい。ソフトウェアおよび／またはデータは、処理装置によって解釈されたり処理装置に命令またはデータを提供するために、ある類型の機械、構成要素（ｃｏｍｐｏｎｅｎｔ）、物理的装置、仮想装置（ｖｉｒｔｕａｌ  ｅｑｕｉｐｍｅｎｔ）、コンピュータ格納媒体または装置、または送信される信号波（ｓｉｇｎａｌ  ｗａｖｅ）に永久的または一時的に具体化（ｅｍｂｏｄｙ）されてもよい。ソフトウェアは、ネットワークによって連結したコンピュータシステム上に分散され、分散した方法によって格納されたり実行されてもよい。ソフトウェアおよびデータは、１つ以上のコンピュータで読み取り可能な記録媒体に格納されてもよい。
【００９２】
実施形態に係る方法は、多様なコンピュータ手段によって実行が可能なプログラム命令形態で実現されてコンピュータで読み取り可能な媒体に記録されてもよい。前記コンピュータで読み取り可能な媒体は、プログラム命令、データファイル、データ構造などを単独または組み合わせて含んでもよい。前記媒体に記録されるプログラム命令は、実施形態のために特別に設計されて構成されたものであってもよく、コンピュータソフトウェア当業者に公知されて使用可能なものであってもよい。コンピュータで読み取り可能な記録媒体の例としては、ハードディスク、フロッピー（登録商標）ディスク、および磁気テープのような磁気媒体（ｍａｇｎｅｔｉｃ  ｍｅｄｉａ）、ＣＤ−ＲＯＭ、ＤＶＤのような光記録媒体（ｏｐｔｉｃａｌ  ｍｅｄｉａ）、フロプティカルディスク（ｆｌｏｐｔｉｃａｌ  ｄｉｓｋ）のような磁気−光媒体（ｍａｇｎｅｔｏ−ｏｐｔｉｃａｌ  ｍｅｄｉａ）、およびＲＯＭ、ＲＡＭ、フラッシュメモリなどのようなプログラム命令を格納して実行するように特別に構成されたハードウェア装置が含まれる。プログラム命令の例としては、コンパイラによって生成されるもののような機械語コードだけではなく、インタプリタなどを使用してコンピュータによって実行される高級言語コードを含む。上述したハードウェア装置は、実施形態の動作を実行するために１つ以上のソフトウェアモジュールとして動作するように構成されてもよく、その逆も同じである。
【００９３】
以上のように、実施形態を限定された実施形態と図面に基づいて説明したが、該当する技術分野において通常の知識を有する者であれば、上述した記載から多様な修正および変形が可能である。例えば、説明された技術が説明された方法とは異なる順序で実行されたり、および／または説明されたシステム、構造、装置、回路などの構成要素が説明された方法とは異なる形態で結合または組み合わされたり、他の構成要素または均等物によって対置されたり置換されたとしても、適切な結果を達成することができる。
【００９４】
したがって、異なる実施形態であっても、特許請求の範囲と均等なものであれば、添付される特許請求の範囲に属する。
【図１】
2016095846.tif 000003
【図２】
2016095846.tif 000004
【図３Ａ】
2016095846.tif 000005
【図３Ｂ】
2016095846.tif 000006
【図４】
2016095846.tif 000007
【図５】
2016095846.tif 000008
【図６】
2016095846.tif 000009
【図７】
2016095846.tif 000010
【図８】
2016095846.tif 000011
【図９】
2016095846.tif 000012
【図１０】
2016095846.tif 000013
【図１１】
2016095846.tif 000014